(57)【要約】【課題】任意の視認環境において撮影環境での見えを適切に再現した画像を表示できる表示システムの提供。【解決手段】表示システム１００の画像データ処理装置２００は、撮影環境パラメータ取得部２６０にて、画像データ出力手段１３０から出力される画像データに基づいて、撮影環境パラメータを取得する処理を、画像撮影環境の認識処理として実施する。視認環境パラメータ取得部２８０は、視認環境パラメータを取得する処理を、視認環境の認識処理として実施する。画像データ補正部３００は、画像撮影環境での見えを再現した画像が、視認環境下におけるディスプレイ１８０で表示させる状態に、画像データを補正する。【選択図】図１
2008206067.tif 000002
【特許請求の範囲】
【請求項１】
所定の画像を表示手段で表示させるための画像データを取得する画像データ取得工程と、
この画像データ取得工程で取得した前記画像データ、入力操作に基づく入力操作信号、および、前記画像データの画像に関する画像付加情報のうち、少なくともいずれか１つに基づいて、前記画像データの画像を撮影した撮影環境における光の状態を認識する撮影環境認識工程と、
前記画像データに基づき前記表示手段に表示された前記画像を視認する視認環境における光の状態を認識する視認環境認識工程と、
前記撮影環境認識工程で認識した前記撮影環境における光の状態を再現した画像が、前記視認環境認識工程で認識した前記視認環境に配置された前記表示手段で表示される状態に、前記画像データを補正する画像データ補正工程と、
を実施することを特徴とする画像データ処理方法。
【請求項２】
請求項１に記載の画像データ処理方法であって、
前記撮影環境認識工程では、前記画像データ、前記入力操作信号、および、前記画像付加情報のうち、少なくともいずれか１つに基づいて、前記画像の撮影場所を認識し、この認識された撮影場所における代表的な光源の発光状態に基づいて前記撮影環境における光の状態を認識する
ことを特徴とする画像データ処理方法。
【請求項３】
請求項１または請求項２に記載の画像データ処理方法であって、
前記撮影環境における前記画像の２度視野に位置する標準白色板の光の反射状態に対応する撮影中央反射状態を認識する撮影中央反射状態認識工程と、
前記視認環境における前記表示手段の表示面の２度視野に位置する標準白色板の光の反射状態に対応する視認中央反射状態を認識する視認中央反射状態認識工程と、を実施し、
前記撮影環境認識工程では、前記撮影中央反射状態を前記撮影環境における光の状態として認識し、
前記視認環境認識工程では、前記視認中央反射状態を前記視認環境における光の状態として認識し、
前記画像データ補正工程では、前記撮影中央反射状態に対応する撮影環境で撮影された画像が、前記視認中央反射状態に対応する視認環境に配置された前記表示手段で表示される状態に、前記画像データを補正する
ことを特徴とする画像データ処理方法。
【請求項４】
請求項３に記載の画像データ処理方法であって、
前記視認環境における光源の明るさ、および、前記表示手段の表示面の明るさの関係を判断する明るさ判断工程を実施し、
前記視認中央反射状態認識工程では、前記明るさ判断工程において前記光源の明るさが前記表示面の明るさよりも明るいと判断した場合、前記表示手段に配置された標準白色板の光の反射状態に基づいて前記視認中央反射状態を認識する
ことを特徴とする画像データ処理方法。
【請求項５】
請求項３または請求項４に記載の画像データ処理方法であって、
前記視認環境における光源の明るさ、および、前記表示手段の表示面の明るさの関係を判断する明るさ判断工程を実施し、
前記視認中央反射状態認識工程では、前記明るさ判断工程において前記光源の明るさが前記表示面の明るさよりも明るいと判断した場合、前記光源の発光状態に基づいて前記視認中央反射状態を認識する
ことを特徴とする画像データ処理方法。
【請求項６】
請求項３ないし請求項５のいずれかに記載の画像データ処理方法であって、
前記視認環境における光源の明るさ、および、前記表示手段の表示面の明るさの関係を判断する明るさ判断工程を実施し、
前記視認中央反射状態認識工程では、前記明るさ判断工程において前記光源の明るさが前記表示面の明るさよりも明るいと判断した場合、前記表示手段周囲の光の状態に基づいて前記視認中央反射状態を認識する
ことを特徴とする画像データ処理方法。
【請求項７】
請求項３ないし請求項６のいずれかに記載の画像データ処理方法であって、
前記画像の２度視野に位置する標準白色板の３刺激値に対応する撮影３刺激値を認識する撮影３刺激値認識工程と、
前記表示面の２度視野に位置する標準白色板の３刺激値に対応する視認３刺激値を認識する視認３刺激値認識工程と、
を実施し、
前記撮影中央反射状態認識工程では、前記撮影３刺激値を前記撮影中央反射状態として認識し、
前記視認中央反射状態認識工程では、前記視認３刺激値を前記視認中央反射状態として認識する
ことを特徴とする画像データ処理方法。
【請求項８】
請求項７に記載の画像データ処理方法であって、
前記撮影３刺激値認識工程では、前記画像データに基づいて、前記撮影環境における光源色を推定し、この推定した光源色の３刺激値を前記撮影３刺激値として認識する
ことを特徴とする画像データ処理方法。
【請求項９】
請求項７または請求項８に記載の画像データ処理方法であって、
前記視認環境における光源の明るさ、および、前記表示手段の表示面の明るさの関係を判断する明るさ判断工程を実施し、
前記視認３刺激値認識工程では、前記明るさ判断工程において前記光源の明るさが前記表示面の明るさよりも暗いと判断した場合、前記表示手段に表示された画像の色温度に基づく３刺激値を前記撮影３刺激値として認識する
ことを特徴とする画像データ処理方法。
【請求項１０】
請求項３ないし請求項９のいずれかに記載の画像データ処理方法であって、
前記画像の２度視野に位置する標準白色板の輝度に対応する撮影中央輝度を認識する撮影中央輝度認識工程と、
前記表示面の２度視野に位置する標準白色板の輝度に対応する視認中央輝度を認識する視認中央輝度認識工程と、
を実施し、
前記撮影中央反射状態認識工程では、前記撮影中央輝度を前記撮影中央反射状態として認識し、
前記視認中央反射状態認識工程では、前記視認中央輝度を前記視認中央反射状態として認識する
ことを特徴とする画像データ処理方法。
【請求項１１】
請求項１０に記載の画像データ処理方法であって、
前記視認環境における光源の明るさ、および、前記表示手段の表示面の明るさの関係を判断する明るさ判断工程を実施し、
前記視認中央輝度認識工程では、前記明るさ判断工程において前記光源の明るさが前記表示面の明るさよりも暗いと判断した場合、前記表示手段における前記画像の表示モードを認識し、この表示モードにおける前記画像の輝度に基づいて前記視認中央輝度を認識する
ことを特徴とする画像データ処理方法。
【請求項１２】
請求項１０または請求項１１に記載の画像データ処理方法であって、
前記視認環境における光源の明るさ、および、前記表示手段の表示面の明るさの関係を判断する明るさ判断工程を実施し、
前記視認中央輝度認識工程では、前記明るさ判断工程において前記光源の明るさが前記表示面の明るさよりも暗いと判断した場合、前記表示手段に表示された画像の輝度に基づいて前記視認中央輝度を認識する
ことを特徴とする画像データ処理方法。
【請求項１３】
請求項４ないし請求項６、請求項９、請求項１１、および、請求項１２のいずれかに記載の画像データ処理方法であって、
前記視認環境における前記表示手段および視認者の間の表示手段距離を認識する表示手段距離認識工程と、
前記視認環境における前記光源および視認者の間の光源距離を認識する光源距離認識工程と、を実施し、
前記明るさ判断工程では、前記表示手段距離が前記光源距離よりも長い場合に、前記視認環境における前記光源の明るさが前記表示面の明るさよりも明るいと判断し、前記表示手段距離が前記光源距離よりも短い場合に、前記視認環境における前記光源の明るさが前記表示面の明るさよりも暗いと判断する
ことを特徴とする画像データ処理方法。
【請求項１４】
請求項１ないし請求項１３のいずれかに記載の画像データ処理方法であって、
前記画像の２度視野に位置する標準白色板の輝度に対応する撮影中央輝度を認識する撮影中央輝度認識工程と、
前記画像の１０度視野の輝度に対応する撮影背景輝度を認識する撮影背景輝度認識工程と、
前記撮影中央輝度および前記撮影背景輝度の比率である撮影背景輝度率を演算する撮影背景輝度率演算工程と、
前記表示面の２度視野に位置する標準白色板の輝度に対応する視認中央輝度を認識する視認中央輝度認識工程と、
前記表示面の１０度視野の輝度に対応する視認背景輝度を認識する視認背景輝度認識工程と、
前記視認中央輝度および前記視認背景輝度の比率である視認背景輝度率を演算する視認背景輝度率演算工程と、
を実施し、
前記撮影環境認識工程では、前記撮影背景輝度率を前記撮影環境における光の状態として認識し、
前記視認環境認識工程では、前記視認背景輝度率を前記視認環境における光の状態として認識し、
前記画像データ補正工程では、前記撮影背景輝度率に対応する撮影環境で撮影された画像が、前記視認背景輝度率に対応する視認環境における前記表示手段で表示される状態に、前記画像データを補正する
ことを特徴とする画像データ処理方法。
【請求項１５】
請求項１４に記載の画像データ処理方法であって、
前記視認環境における前記表示手段および視認者の間の表示手段距離を認識する表示手段距離認識工程を実施し、
前記視認背景輝度認識工程では、前記表示手段距離認識工程で前記表示手段距離が基準距離よりも長いと判断した場合、前記視認背景輝度の認識処理として、前記表示面の１０度視野よりも外側の輝度に対応する視認周囲輝度の認識処理を実施し、
前記視認背景輝度率演算工程では、前記視認中央輝度および前記視認周囲輝度の比率を前記視認背景輝度率として演算する
ことを特徴とする画像データ処理方法。
【請求項１６】
請求項１ないし請求項１５のいずれかに記載の画像データ処理方法であって、
前記画像の２度視野に位置する標準白色板の輝度に対応する撮影中央輝度を認識する撮影中央輝度認識工程と、
前記画像の１０度視野よりも外側の輝度に対応する撮影周囲輝度を認識する撮影周囲輝度認識工程と、
前記撮影中央輝度および前記撮影周囲輝度の比率である撮影周囲輝度率を演算する撮影周囲輝度率演算工程と、
前記表示面の２度視野に位置する標準白色板の輝度に対応する視認中央輝度を認識する視認中央輝度認識工程と、
前記表示面の１０度視野よりも外側の輝度に対応する視認周囲輝度を認識する視認周囲輝度認識工程と、
前記視認中央輝度および前記視認周囲輝度の比率である視認周囲輝度率を演算する視認周囲輝度率演算工程と、
を実施し、
前記撮影環境認識工程では、前記撮影周囲輝度率を前記撮影環境における光の状態として認識し、
前記視認環境認識工程では、前記視認周囲輝度率を前記視認環境における光の状態として認識し、
前記画像データ補正工程では、前記撮影周囲輝度率に対応する撮影環境で撮影された画像が、前記視認周囲輝度率に対応する視認環境における前記表示手段で表示される状態に、前記画像データを補正する
ことを特徴とする画像データ処理方法。
【請求項１７】
請求項１６に記載の画像データ処理方法であって、
前記表示手段は、前記表示面が屋内に臨む状態で配置され、
前記視認周囲輝度認識工程では、前記屋内に配置された被配置物における光源の反射状態に基づいて前記視認周囲輝度を認識する
ことを特徴とする画像データ処理方法。
【請求項１８】
請求項１６または請求項１７に記載の画像データ処理方法であって、
前記視認環境における前記表示手段および視認者の間の表示手段距離を認識する表示手段距離認識工程を実施し、
前記視認周囲輝度認識工程では、前記表示手段距離認識工程で前記表示手段距離が基準距離よりも短いと判断した場合、前記視認周囲輝度の認識処理として、前記画像の１０度視野の輝度に対応する視認背景輝度の認識処理を実施し、
前記視認周囲輝度率演算工程では、前記視認中央輝度および前記視認背景輝度の比率を前記視認周囲輝度率として演算する
ことを特徴とする画像データ処理方法。
【請求項１９】
請求項１５または請求項１８に記載の画像データ処理方法であって、
前記基準距離は、前記表示面の大きさに応じて異なる長さに設定された
ことを特徴とする画像データ処理方法。
【請求項２０】
請求項１ないし請求項１９のいずれかに記載の画像データ処理方法であって、
前記画像を撮影した環境における人物の目が順応している輝度に対応する撮影順応輝度を認識する撮影順応輝度認識工程と、
前記画像を視認する環境における人物の目が順応している輝度に対応する視認順応輝度を認識する視認順応輝度認識工程と、を実施し、
前記撮影環境認識工程では、前記撮影順応輝度を前記撮影環境における光の状態として認識し、
前記視認環境認識工程では、前記視認順応輝度を前記視認環境における光の状態として認識し、
前記画像データ補正工程では、前記撮影順応輝度に対応する撮影環境で撮影された画像が、前記視認順応輝度に対応する視認環境における前記表示手段で表示される状態に、前記画像データを補正する
ことを特徴とする画像データ処理方法。
【請求項２１】
請求項１ないし請求項２０のいずれかに記載の画像データ処理方法であって、
前記画像データは、この画像データの生成後に、前記撮影環境として設定された新たな撮影環境で撮影された画像を表示させる状態に補正されたものであり、
前記画像データ補正工程では、前記新たな撮影環境を再現した画像が前記視認環境における前記表示手段で表示される状態に前記画像データを補正する
ことを特徴とする画像データ処理方法。
【請求項２２】
請求項２１に記載の画像データ処理方法であって、
前記画像データは、映画の一場面の画像を表示させるものである
ことを特徴とする画像データ処理方法。
【請求項２３】
請求項１ないし請求項２２のいずれかに記載の画像データ処理方法であって、
前記表示手段は、前記表示面が屋外に臨む状態で配置され、
前記視認環境認識工程では、前記視認する日付、季節、時刻、および、天気のうちの少なくともいずれか１つの視認条件を特定する旨の入力操作信号と、前記表示手段が配置された視認場所を特定する旨の入力操作信号と、を認識し、この特定された視認場所での光源の発光状態に基づいて前記視認環境における光の状態を認識する
ことを特徴とする画像データ処理方法。
【請求項２４】
請求項１ないし請求項２３のいずれかに記載の画像データ処理方法であって、
前記画像データの画像の種別に応じた前記視認環境を報知する視認環境報知工程を実施し、
前記視認環境認識工程では、前記視認環境報知工程で報知された視認環境のうちいずれか１つを選択する旨の入力操作信号を認識し、この選択された視認環境を認識する
ことを特徴とする画像データ処理方法。
【請求項２５】
請求項１ないし請求項２４のいずれかに記載の画像データ処理方法で補正された前記画像データに基づく画像を表示手段で表示させる表示処理工程を実施する
ことを特徴とする画像表示方法。
【発明の詳細な説明】
【技術分野】
【０００１】
本発明は、所定の画像を表示手段で表示させるための画像データを処理する画像データ処理方法、および、画像表示方法に関する。
【背景技術】
【０００２】
従来、画像が撮像された撮像環境、および、画像を視認する際の視認環境に応じて、画像を表示するための画像信号を処理する構成が知られている（例えば、特許文献１参照）。
【０００３】
この特許文献１に記載のものは、撮像ユニットで、被写体画像の測色値Ｄ１（被写体の三刺激値）を取得して、見えの忠実再現変換ユニットへ出力する。また、照明条件取得ユニットは、被写体撮影時の照明光の色度値および絶対照度値を測定して記録する。さらに、観察条件取得ユニットは、再現画像観察時の照明光の色度値および絶対照度値を測定して記録する。
見えの忠実再現変換ユニットは、測色値Ｄ１の順変換として、被写体照明条件における色順応変換、非線形信号変換（コントラスト変換）、色属性変換（彩度変換）を行い見えの属性値Ｄ２（色相ｈ、明度Ｊ、彩度Ｃ）を算出する。また、逆変換として、観察照明条件による色属性変換、非線形信号変換、色順応変換を行い、変換画像の測色値Ｄ３を算出する。さらに、フレア補正部において、変換画像の測色値Ｄ３に対して再現画像の観察環境に応じたフレア量を補正して、再現画像として出力するための被写体画像の測色値Ｄ４を求める。そして、画像出力ユニットにおいて、再現画像の測色値Ｄ４がハードコピー画像（プリント）などの目視用再現画像上に再現されるように、再現画像を作成する構成がとられている。
【０００４】
【特許文献１】特開２００５−１１７６１２号公報
【発明の開示】
【発明が解決しようとする課題】
【０００５】
しかしながら、特許文献１のような構成では、被写体撮像時における照明光の色度や絶対照度値を測定して取得しているため、撮像現場において照明光の色度や絶対照度値が測定されていない像に対して、視認環境に応じた補正処理を実施できないおそれがあるという問題点が一例として挙げられる。
【０００６】
本発明は、任意の視認環境において撮影環境での見えを適切に再現した画像を表示させる状態に画像データを補正可能な画像データ処理方法、および、画像表示方法を提供することを１つの目的とする。
【課題を解決するための手段】
【０００７】
請求項１に記載の発明は、所定の画像を表示手段で表示させるための画像データを取得する画像データ取得工程と、この画像データ取得工程で取得した前記画像データ、入力操作に基づく入力操作信号、および、前記画像データの画像に関する画像付加情報のうち、少なくともいずれか１つに基づいて、前記画像データの画像を撮影した撮影環境における光の状態を認識する撮影環境認識工程と、前記画像データに基づき前記表示手段に表示された前記画像を視認する視認環境における光の状態を認識する視認環境認識工程と、前記撮影環境認識工程で認識した前記撮影環境における光の状態を再現した画像が、前記視認環境認識工程で認識した前記視認環境に配置された前記表示手段で表示される状態に、前記画像データを補正する画像データ補正工程と、を実施することを特徴とする画像データ処理方法である。
【０００８】
請求項２５に記載の発明は、請求項１ないし請求項２４のいずれかに記載の画像データ処理方法で補正された前記画像データに基づく画像を表示手段で表示させる表示処理工程を実施することを特徴とする画像表示方法である。
【発明を実施するための最良の形態】
【０００９】
以下、本発明の一実施形態について図面に基づいて説明する。
【００１０】
〔表示システムの構成〕
まず、本発明の一実施形態に係る表示システムの構成について、図面を参照して説明する。
図１は、本発明の一実施形態に係る表示システムの概略構成を示すブロック図である。図２は、表示システムの利用状態を表す模式図である。図３は、表示システムを構成する撮影環境パラメータ取得部の概略構成を示すブロック図である。図４は、表示システムを構成する視認環境パラメータ取得部の概略構成を示すブロック図である。図５は、ディスプレイ距離が推奨視認距離と等しい状態における２度視野、１０度視野、および、周囲視野の関係を示す模式図である。図６は、ディスプレイ距離が推奨視認距離よりも極めて短い状態における２度視野、１０度視野、および、周囲視野の関係を示す模式図である。図７は、ディスプレイ距離が推奨視認距離よりも極めて長い状態における２度視野、１０度視野、および、周囲視野の関係を示す模式図である。図８は、距離割合に基づく視認環境パラメータの取得条件をグラフ形式で表す図である。
【００１１】
なお、以下において、所定の画像が撮影された際の環境を画像撮影環境と、映像の撮影後に映像製作者などが意図的に色合いなどの補正を行った環境（照明条件など）を映像製作環境と、それぞれ適宜称する。さらに、画像撮影環境および映像製作環境をまとめて表現する際には、撮影環境と適宜称する。
また、撮影環境における画像の２度視野に位置する標準白色板の３刺激値、および、輝度にそれぞれ対応する値を、本発明の撮影中央反射状態を構成する撮影３刺激値、および、本発明の撮影中央反射状態を構成する撮影中央輝度と適宜称する。さらに、撮影環境における画像の１０度視野の輝度を、撮影背景輝度と適宜称する。また、撮影環境における画像の１０度視野よりも外側（以下、周囲視野と称す）の輝度を、撮影周囲輝度と適宜称する。そして、撮影環境における人物の目が順応している輝度を、撮影順応輝度と適宜称する。
また、画像の視聴環境、すなわち画像の視認環境におけるディスプレイの表示面の２度視野に位置する標準白色板の３刺激値、および、輝度にそれぞれ対応する値を、本発明の視認中央反射状態を構成する視認３刺激値、および、本発明の視認中央反射状態を構成する視認中央輝度と適宜称する。さらに、視認環境における表示面の１０度視野の輝度を、視認背景輝度と適宜称する。また、視認環境における表示面の１０度視野よりも外側（以下、周囲視野と称す）の輝度を、視認周囲輝度と適宜称する。そして、視認環境における人物の目が順応している輝度を、視認順応輝度と適宜称する。
【００１２】
図１において、１００は、表示システムであり、この表示システム１００は、利用者Ｕ（図２参照）が画像を視認する視認環境に応じて画像データを適宜補正して、視認環境において撮影環境での見えを再現した画像を表示させる。
そして、表示システム１００は、リモートコントローラ（以下、リモコンと称す）１１０と、センサ部１２０と、画像データ出力手段１３０と、表示装置１４０と、などを備えている。
なお、以下において、補正前の画像データに基づく画像を入力画像と、補正後の画像データに基づく画像を出力画像と、それぞれ適宜称して説明する。
【００１３】
リモコン１１０は、図示しない操作ボタンや操作つまみなどを有している。そして、リモコン１１０は、利用者Ｕによる操作ボタンなどの入力操作に対応する入力操作信号を生成して、赤外線を利用してセンサ部１２０や表示装置１４０へ出力する。
【００１４】
センサ部１２０は、表示装置１４０に接続されている。このセンサ部１２０は、利用者Ｕの視認環境に対応する各種状態を検出して、この状態に対応する各種信号を表示装置１４０へ出力する。
そして、センサ部１２０は、ディスプレイ周囲光状態センサ１２１と、ディスプレイ距離センサ１２２と、照明距離センサ１２３と、などを備えている。
【００１５】
ディスプレイ周囲光状態センサ１２１は、図２に示すように、例えば表示装置１４０の後述する表示手段としてのディスプレイ１８０の上辺略中央に配設されている。そして、ディスプレイ周囲光状態センサ１２１は、ディスプレイ１８０の周囲における光の状態を検出して、この検出した状態に対応する周囲光状態信号を表示装置１４０へ出力する。
【００１６】
ディスプレイ距離センサ１２２は、例えばディスプレイ１８０の上辺右隅部に配設されている。このディスプレイ距離センサ１２２は、リモコン１１０から赤外線を利用して送信される第１の距離信号Ｋ１を入力操作信号として受信する。そして、この第１の距離信号Ｋ１の受信状態に基づいて、利用者Ｕからディスプレイ１８０までの表示手段距離としてのディスプレイ距離Ｌ１に対応するディスプレイ距離信号を表示装置１４０へ出力する。
【００１７】
照明距離センサ１２３は、例えば部屋Ｒの天井に設けられた光源としての照明１２５の下面隅部に配設されている。この照明距離センサ１２３は、リモコン１１０から赤外線を利用して送信される第２の距離信号Ｋ２を入力操作信号として受信する。そして、この第２の距離信号Ｋ２の受信状態に基づいて、利用者Ｕから照明１２５までの光源距離としての照明距離Ｌ２に対応する照明距離信号を表示装置１４０へ出力する。
【００１８】
なお、ディスプレイ周囲光状態センサ１２１、ディスプレイ距離センサ１２２、および、照明距離センサ１２３の配設位置としては、上述した位置に限らず適宜他の位置としてもよい。
【００１９】
画像データ出力手段１３０は、図１に示すように、表示装置１４０に接続されている。この画像データ出力手段１３０は、所定の画像をディスプレイ１８０で表示させるための画像データを例えばＤＶＤ（Digital Versatile Disc）などの記録媒体から読み出す。そして、この画像データを、表示装置１４０へ適宜出力する。また、画像データ出力手段１３０は、記録媒体に所定の映像製作環境で製作された映像の画像データが記録されている場合、この画像データとともに記録されている、映像製作環境での見えを再現するために利用される画像付加情報としての映像製作パラメータを読み出して、表示装置１４０へ適宜出力する。
ここで、映像製作パラメータは、映像制作者などが意図的に色合いなどの補正を行った照明条件などの環境における２度視野の３刺激値に関する映像３刺激値データと、２度視野の輝度に関する映像中央輝度データと、１０度視野の輝度に関する映像背景輝度データと、周囲視野の輝度に関する映像周囲輝度データと、などを備えている。
なお、画像データ出力手段１３０としては、画像データや映像製作パラメータを記録媒体から読み出す構成に限らず、ネットワークを介して配信される各種データを取得して出力する構成としてもよい。また、オンエアされている映像などとともに配信される各種データを取得して出力する構成としてもよい。
ここで、所定の映像製作環境で製作された映像とは、例えば映画制作者が補正をして製作された映画が例示できる。
【００２０】
表示装置１４０は、リモコン受光部１６０と、ディスプレイ１８０と、画像データ処理装置２００と、表示制御手段３６０と、などを備えている。
【００２１】
リモコン受光部１６０は、画像データ処理装置２００に接続されている。このリモコン受光部１６０は、リモコン１１０からの赤外線を受光して、この赤外線を利用して送信される入力操作信号を適宜受信して、受信信号に変換して画像データ処理装置２００へ出力する。
【００２２】
ディスプレイ１８０は、表示制御手段３６０などに接続されている。また、ディスプレイ１８０は、図２に示すように、略箱状に形成され配置台１８５に配置されたケース体１８１と、このケース体１８１の一面から臨む状態で設けられた表示面１８２と、などを備えている。そして、ディスプレイ１８０は、表示制御手段３６０の制御に基づいて、表示面１８２で出力画像を表示させる。ここで、ディスプレイ１８０としては、ＰＤＰ（Plasma Display Panel）、ＬＣＤ（Liquid Crystal Display）、ＣＲＴ（Cathode-Ray Tube）などが例示できる。
【００２３】
画像データ処理装置２００は、図１に示すように、再現状態認識部２２０と、ルックアップテーブル（以下、ＬＵＴと称す）２４０と、撮影環境パラメータ取得部２６０と、視認環境パラメータ取得部２８０と、画像データ補正部３００と、などを備えている。
【００２４】
再現状態認識部２２０は、リモコン受光部１６０と、撮影環境パラメータ取得部２６０と、などに接続されている。この再現状態認識部２２０は、ディスプレイ１８０に表示させる出力画像の再現状態を認識する。
具体的には、再現状態認識部２２０は、リモコン受光部１６０から受信信号を取得する。そして、この受信信号に基づいて、画像撮影環境での見えを再現した出力画像を表示させる旨の入力操作がされたことを認識すると、その旨の画像撮影再現信号を撮影環境パラメータ取得部２６０へ出力する。また、映像製作環境での見えを再現した出力画像を表示させる旨の入力操作がされたことを認識すると、その旨の映像製作再現信号を撮影環境パラメータ取得部２６０へ出力する。
【００２５】
ＬＵＴ２４０は、撮影環境パラメータ取得部２６０と、視認環境パラメータ取得部２８０と、などに接続されている。このＬＵＴ２４０には、所定の輝度階調の画像データを、任意の階調に補正するための各種データが格納されている。
なお、図１では、ＬＵＴ２４０が１個で構成されているように図示しているが、実際には、複数個で構成されている。
【００２６】
撮影環境パラメータ取得部２６０は、画像データ出力手段１３０と、画像データ補正部３００と、などに接続されている。この撮影環境パラメータ取得部２６０は、画像データ出力手段１３０から出力される画像データに基づいて、画像撮影環境での見えを再現するための補正処理時に利用される撮影環境パラメータを取得する。また、画像データ出力手段１３０から出力される映像製作パラメータに基づいて、映像製作環境での見えを再現するための撮影環境パラメータを取得する。つまり、撮影環境パラメータ取得部２６０は、本発明の撮影環境認識工程として、撮影環境パラメータの取得処理を実施する。
そして、撮影環境パラメータ取得部２６０は、図３に示すように、映像製作パラメータ取得手段２６１と、撮影３刺激値取得手段２６２と、撮影中央輝度取得手段２６３と、撮影外側輝度取得手段２６４と、撮影背景輝度率演算手段２６５と、撮影周囲輝度率演算手段２６６と、撮影順応輝度取得手段２６７と、撮影環境パラメータ出力手段２６８と、などを備えている。
【００２７】
映像製作パラメータ取得手段２６１は、再現状態認識部２２０から映像製作再現信号を取得すると、画像データ出力手段１３０に映像製作パラメータを出力させて取得する。
【００２８】
撮影３刺激値取得手段２６２は、撮影３刺激値の取得処理を、本発明の撮影中央反射状態認識工程を構成する撮影３刺激値認識工程として実施する。
具体的には、撮影３刺激値取得手段２６２は、再現状態認識部２２０から画像撮影再現信号を取得すると、画像データ出力手段１３０から画像データを取得する。そして、この画像データに基づいて、入力画像が撮影された際に利用された光源色を推定して、この光源色の３刺激値を撮影３刺激値として取得する。
ここで、光源色の推定方法としては、以下のような方法が例示できる。
すなわち、画像データにおけるＸＹＺ表色系のＸ値、Ｙ値、および、Ｚ値で表される画素データから、黒体軌跡からの偏差が所定値以内の画素データを抽出画素データとして抽出する。そして、この抽出した抽出画素データに基づいて、各Ｙ値に対して、このＹ値以内のＹ値に対応する抽出画素データの数の累計頻度を表すＹ分布データを算出して、各Ｙ値に対して、このＹ値に対応する抽出画素データのＸ値の合計値、Ｙ値の合計値、および、Ｚ値の合計値をＹ毎色分布データとして算出する。この後、Ｙ毎色分布データのＸ値の合計値、Ｙ値の合計値、Ｚ値の合計値を、それぞれ対応するＹ値で除算したＹ毎バランスデータを算出し、このＹ分布データに基づいて、累計頻度がＴａ％となる明点に対応するＹ値を明点Ｙ値として取得し、累計頻度がＴａ％未満のＴｂ％となる暗点に対応するＹ値を暗点Ｙ値として取得する。さらに、Ｙ毎バランスデータに基づいて、明点Ｙ値に対応するＹ毎バランスデータを明点バランスデータとして取得するとともに、暗点Ｙ値に対応するＹ毎バランスデータを暗点バランスデータとして取得して、明点バランスデータおよび暗点バランスデータを含むＱ（Ｑは自然数）次関数の線を設定する。そして、この線上における累計頻度が１００％または略１００％に対応するＹ毎バランスデータのＸ値、Ｙ値、および、Ｚ値を算出し、この算出したＸ値、Ｙ値、および、Ｚ値に基づいて、入力画像が撮像された際の光源色を算出して推定する方法が例示できる。
また、撮影３刺激値取得手段２６２は、映像製作再現信号を取得すると、映像製作パラメータ取得手段２６１で取得された映像製作パラメータから映像３刺激値データを取得する。そして、この映像３刺激値データの３刺激値を、撮影３刺激値として取得する。
【００２９】
撮影中央輝度取得手段２６３は、撮影中央輝度の取得処理を、本発明の撮影中央反射状態認識工程を構成する撮影中央輝度認識工程として実施する。
具体的には、撮影中央輝度取得手段２６３は、画像撮影再現信号に基づいて、入力画像における、例えば字幕などの撮影環境に依存しない部分を撮影環境非依存部分として認識する。さらに、入力画像から撮影環境非依存部分を除いた部分における輝度が最も高い画素を認識する。そして、この輝度が最も高い画素の輝度レベルを、ＬＵＴ２４０のデータに基づいて輝度に変換して、この変換した輝度を撮影中央輝度として取得する。
また、撮影中央輝度取得手段２６３は、映像製作再現信号に基づいて、映像製作パラメータの映像中央輝度データの輝度を、撮影中央輝度として取得する。
【００３０】
撮影外側輝度取得手段２６４は、撮影背景輝度および撮影周囲輝度としての撮影外側輝度の取得処理を、本発明の撮影背景輝度認識工程および撮影周囲輝度認識工程として実施する。
具体的には、撮影外側輝度取得手段２６４は、画像撮影再現信号に基づいて、入力画像の平均輝度レベルを認識する。そして、この平均輝度レベルを、ＬＵＴ２４０のデータに基づいて輝度に変換して、この変換した輝度を撮影外側輝度として取得する。
また、撮影外側輝度取得手段２６４は、映像製作再現信号に基づいて、映像製作パラメータの映像背景輝度データの輝度を、撮影外側輝度として取得する。
【００３１】
撮影背景輝度率演算手段２６５は、撮影背景輝度率の演算処理を、本発明の撮影背景輝度率演算工程として実施する。
具体的には、撮影背景輝度率演算手段２６５は、画像撮像再現信号や映像製作再現信号に基づいて、撮影外側輝度取得手段２６４で取得された撮影外側輝度を、撮影中央輝度取得手段２６３で取得された撮影中央輝度で除した値を撮影背景輝度率として演算する。
【００３２】
撮影周囲輝度率演算手段２６６は、撮影周囲輝度率の演算処理を、本発明の撮影背景輝度率演算工程として実施する。
具体的には、撮影周囲輝度率演算手段２６６は、画像撮像再現信号や映像製作再現信号に基づいて、撮影背景輝度率演算手段２６５で演算された撮影背景輝度率が０％であると判断した場合、Ｄａｒｋという状態に分類する処理を撮影周囲輝度率の演算処理として実施する。また、撮影背景輝度率が０％よりも大きくかつ２０％以下であると判断した場合、Ｄｉｍという状態に分類する処理を撮影周囲輝度率の演算処理として実施する。さらに、撮影背景輝度率が２０％よりも大きいと判断した場合、Ａｖｅｒａｇｅという状態に分類する処理を撮影周囲輝度率の演算処理として実施する。なお、Ｄａｒｋ、Ｄｉｍ、Ａｖｅｒａｇｅの３状態を補間したものを撮影周囲輝度率として演算してもよい。
【００３３】
撮影順応輝度取得手段２６７は、撮影順応輝度の取得処理を、本発明の撮影順応輝度認識工程として実施する。
具体的には、撮影順応輝度取得手段２６７は、画像撮像再現信号や映像製作再現信号に基づいて、撮影中央輝度取得手段２６３で取得された撮影中央輝度を、ＬＵＴ２４０のデータに基づいて変換して、この変換した値を撮影順応輝度として取得する。
【００３４】
撮影環境パラメータ出力手段２６８は、撮影画像再現信号に基づき取得されたり演算されたりした、撮影３刺激値、撮影中央輝度、撮影背景輝度率、撮影周囲輝度率、および、撮影順応輝度を、画像撮影環境における撮影環境パラメータとして画像データ補正部３００へ出力する。また、映像製作再現信号に基づき取得されたりなどした、撮影３刺激値、撮影中央輝度、撮影背景輝度率、撮影周囲輝度率、および、撮影順応輝度を、映像製作環境における撮影環境パラメータとして画像データ補正部３００へ出力する。
【００３５】
視認環境パラメータ取得部２８０は、図１に示すように、センサ部１２０と、リモコン受光部１６０と、画像データ補正部３００と、表示制御手段３６０と、などに接続されている。この視認環境パラメータ取得部２８０は、ＬＵＴ２４０から撮影環境での見えを再現するための画像データの補正処理時に利用される視認環境パラメータを取得する。また、リモコン受光部１６０からの受信信号に基づいて、リモコン１１０により設定入力された視認環境パラメータを取得する。
そして、視認環境パラメータ取得部２８０は、図４に示すように、パラメータ最適化判断手段２８１と、距離割合算出手段２８２と、パラメータ取得条件判断手段２８３と、パラメータ取得手段２８４と、視認環境パラメータ出力手段２８５と、などを備えている。
【００３６】
パラメータ最適化判断手段２８１は、ディスプレイ距離Ｌ１に基づいて、後述する視認背景輝度率および視認周囲輝度率を最適化する。
具体的には、パラメータ最適化判断手段２８１は、センサ部１２０のディスプレイ距離センサ１２２からディスプレイ距離信号を取得して、ディスプレイ距離Ｌ１を認識する処理を、本発明の表示手段距離認識工程として実施する。また、例えば以下の表１に示すような表示面１８２のインチサイズ（アスペクト比は１６：９、以下、画面サイズと称す）に対するディスプレイ距離Ｌ１の基準距離としての推奨視認距離Ｌ３を利用者に報知する。
【００３７】
【表１】
2008206067.tif 000003
【００３８】
この表１に示す推奨視認距離Ｌ３は、表示面１８２の高さ寸法の約５倍の値であり、通常の視認距離に設定されている。
つまり、図５に示すように、ディスプレイ距離Ｌ１が推奨視認距離Ｌ３と等しく通常の視認距離の場合、１０度視野のほぼ全てが表示面１８２内に位置し、かつ、表示面１８２内に存在する周囲視野の範囲が極めて小さい状態となる。
【００３９】
また、パラメータ最適化判断手段２８１は、表１に基づいて、表示面１８２の画面サイズに対応する推奨視認距離Ｌ３を認識して、図６に示すように、ディスプレイ距離Ｌ１が推奨視認距離Ｌ３よりも極めて短いと判断した場合、１０度視野の全てが表示面１８２内に位置し、かつ、表示面１８２内に存在する周囲視野の範囲が極めて大きい状態となると認識する。そして、視認周囲輝度率が視認背景輝度率と略等しいと判断して、視認周囲輝度率として視認背景輝度率を取得する旨の周囲輝度率変更信号をパラメータ取得手段２８４へ出力する。
さらに、パラメータ最適化判断手段２８１は、図７に示すように、ディスプレイ距離Ｌ１が推奨視認距離Ｌ３よりも極めて長いと判断した場合、１０度視野における表示面１８２外に存在する範囲が大きい状態となり、かつ、表示面１８２内に周囲視野が全く存在しない状態となると認識する。そして、視認背景輝度率が視認周囲輝度率と略等しいと判断して、視認背景輝度率として視認周囲輝度率を取得する旨の背景輝度率変更信号をパラメータ取得手段２８４へ出力する。
【００４０】
距離割合算出手段２８２は、センサ部１２０の照明距離センサ１２３から照明距離信号を取得して、照明距離Ｌ２を認識する処理を、本発明の光源距離認識工程として実施する。そして、照明距離Ｌ２を、パラメータ最適化判断手段２８１で認識されたディスプレイ距離Ｌ１で除した値を距離割合Ｐ１として算出する。
【００４１】
パラメータ取得条件判断手段２８３は、視認環境パラメータの取得条件の判断処理を、本発明の明るさ判断工程として実施する。
具体的には、パラメータ取得条件判断手段２８３は、距離割合算出手段２８２で算出された距離割合Ｐ１が１よりも小さい値である下限閾値Ａ１よりも小さいか否かを判断する。そして、下限閾値Ａ１よりも小さいと判断した場合、つまり照明距離Ｌ２がディスプレイ距離Ｌ１よりも極めて短く、照明１２５がディスプレイ１８０に比べて利用者Ｕの極めて近くに存在していると判断した場合、視認環境の明るさが、ディスプレイ１８０の明るさよりも照明１２５の明るさに依存していると認識する。さらに、照明１２５に順応する視認環境パラメータを取得する旨の照明順応信号を、パラメータ取得手段２８４へ出力する。
【００４２】
また、パラメータ取得条件判断手段２８３は、距離割合Ｐ１が１よりも大きい値である上限閾値Ａ２よりも大きいか否かを判断する。そして、上限閾値Ａ２よりも大きいと判断した場合、つまりディスプレイ１８０が照明１２５に比べて利用者Ｕの極めて近くに存在していると判断した場合、視認環境の明るさが、照明１２５の明るさよりもディスプレイ１８０の明るさに依存していると認識する。さらに、ディスプレイ１８０に順応する視認環境パラメータを取得する旨のディスプレイ順応信号を、パラメータ取得手段２８４へ出力する。
【００４３】
さらに、パラメータ取得条件判断手段２８３は、距離割合Ｐ１が下限閾値Ａ１以上かつ上限閾値Ａ２以下である、つまりディスプレイ１８０および照明１２５がともに利用者Ｕの近くに存在していると判断した場合、視認環境の明るさが、照明１２５およびディスプレイ１８０の明るさに依存していると認識する。そして、照明１２５およびディスプレイ１８０の両方、つまり距離割合Ｐ１に順応する視認環境パラメータを取得する旨の距離割合順応信号を、パラメータ取得手段２８４へ出力する。
【００４４】
パラメータ取得手段２８４は、パラメータ最適化判断手段２８１からの周囲輝度率変更信号、背景輝度率変更信号、パラメータ取得条件判断手段２８３からの照明順応信号、ディスプレイ順応信号、距離割合順応信号に基づいて、本発明の視認環境認識工程として、視認環境パラメータの取得処理を実施する。
そして、パラメータ取得手段２８４は、視認３刺激値取得手段２８４Ａと、視認中央輝度取得手段２８４Ｂと、視認背景輝度率演算手段２８４Ｃと、視認周囲輝度率演算手段２８４Ｄと、視認順応輝度取得手段２８４Ｅと、などを備えている。
【００４５】
視認３刺激値取得手段２８４Ａは、視認３刺激値の取得処理を、本発明の視認中央反射状態認識工程を構成する視認３刺激値認識工程として実施する。
具体的には、視認３刺激値取得手段２８４Ａは、照明順応信号を取得すると、センサ部１２０のディスプレイ周囲光状態センサ１２１から周囲光状態信号を取得する。そして、この周囲光状態信号に基づくディスプレイ１８０の周囲における３刺激値を、照明１２５に順応する視認３刺激値として取得する。
また、視認３刺激値取得手段２８４Ａは、ディスプレイ順応信号を取得すると、表示制御手段３６０からディスプレイ１８０で表示させる出力画像の画像データを取得する。そして、このディスプレイ１８０で表示される出力画像の絵柄の平均色度を算出し、この平均色度における３刺激値を、ディスプレイ１８０に順応する視認３刺激値として取得する。
さらに、視認３刺激値取得手段２８４Ａは、距離割合順応信号を取得すると、照明１２５に順応する視認３刺激値と、ディスプレイ１８０に順応する視認３刺激値と、を取得する。そして、図８に示すような関係に基づく割合で、照明１２５およびディスプレイ１８０に順応する視認３刺激値を加えた３刺激値を、距離割合Ｐ１に順応する視認３刺激値として取得する。
【００４６】
視認中央輝度取得手段２８４Ｂは、視認中央輝度の取得処理を、本発明の視認中央反射状態認識工程を構成する視認中央輝度認識工程として実施する。
具体的には、視認中央輝度取得手段２８４Ｂは、照明順応信号を取得すると、ディスプレイ周囲光状態センサ１２１からの周囲光状態信号に基づくディスプレイ１８０の周囲における輝度を認識する。そして、この輝度を例えば定数倍した値を、照明１２５に順応する視認中央輝度として取得する。
また、視認中央輝度取得手段２８４Ｂは、ディスプレイ順応信号を取得すると、ディスプレイ１８０で表示される出力画像の絵柄のピーク輝度を認識して、このピーク輝度を、ディスプレイ１８０に順応する視認中央輝度として取得する。なお、ディスプレイ１８０で発光可能な最大輝度を、ディスプレイ１８０に順応する視認中央輝度としてもよい。
さらに、視認中央輝度取得手段２８４Ｂは、距離割合順応信号を取得すると、照明１２５およびディスプレイ１８０にそれぞれに順応する視認中央輝度を図８に示すような関係に基づく割合で加えた３刺激値を、距離割合Ｐ１に順応する視認中央輝度として取得する。
【００４７】
視認背景輝度率演算手段２８４Ｃは、視認背景輝度率の演算処理を、本発明の視認背景輝度率演算工程、視認周囲輝度率演算工程として実施する。
具体的には、視認背景輝度率演算手段２８４Ｃは、ディスプレイ１８０の平均輝度を、照明１２５、ディスプレイ１８０、および、距離割合Ｐ１に順応する視認背景輝度として取得する処理を実施する。
そして、照明順応信号を取得している場合、この視認背景輝度を、視認中央輝度取得手段２８４Ｂで取得した照明１２５に順応する視認中央輝度で除した値を、照明１２５に順応する視認背景輝度率として演算する。
また、ディスプレイ順応信号を取得している場合、視認背景輝度を、ディスプレイ１８０に順応する視認中央輝度で除した値を、ディスプレイ１８０に順応する視認背景輝度率として演算する。
さらに、距離割合順応信号を取得している場合、照明１２５およびディスプレイ１８０にそれぞれ順応する視認中央輝度を図８に示すような関係に基づく割合で加えた３刺激値を、距離割合Ｐ１に順応する視認背景輝度率として演算する。
また、背景輝度率変更信号を取得している場合、視認背景輝度率として視認周囲輝度率を取得するため、視認背景輝度率の演算処理を実施しない。
【００４８】
視認周囲輝度率演算手段２８４Ｄは、視認周囲輝度率の演算処理を、本発明の視認周囲輝度率演算工程、視認背景輝度率演算工程として実施する。
具体的には、視認周囲輝度率演算手段２８４Ｄは、照明順応信号を取得している場合、ディスプレイ１８０周囲の輝度を、視認中央輝度取得手段２８４Ｂで取得された照明１２５に順応する視認中央輝度で除した値である照明順応判定値を演算する。そして、視認背景輝度率判定値が０％であると判断すると、Ｄａｒｋという状態に分類する処理を照明１２５に順応する視認周囲輝度率の演算処理として実施する。また、０％よりも大きくかつ２０％以下であると判断した場合、Ｄｉｍという状態に分類する処理を照明１２５に順応する視認周囲輝度率の演算処理として実施する。さらに、２０％よりも大きいと判断した場合、Ａｖｅｒａｇｅという状態に分類する処理をディスプレイ１８０に順応する視認周囲輝度率の演算処理として実施する。
また、ディスプレイ順応信号を取得している場合、ディスプレイ１８０周囲の輝度を、ディスプレイ１８０に順応する視認中央輝度で除したディスプレイ順応判定値が０％、０％よりも大きくかつ２０％以下である、２０％よりも大きいとそれぞれ判断した場合、Ｄａｒｋ、Ｄｉｍ、Ａｖｅｒａｇｅに分類する処理を照明１２５に順応する視認周囲輝度率の演算処理として実施する。
さらに、距離割合順応信号を取得している場合、照明順応判定値およびディスプレイ順応判定値を図８に示すような関係に基づく割合で加えた距離順応判定値が０％、０％よりも大きくかつ２０％以下である、２０％よりも大きいとそれぞれ判断した場合、Ｄａｒｋ、Ｄｉｍ、Ａｖｅｒａｇｅに分類する処理を距離割合Ｐ１に順応する視認周囲輝度率の演算処理として実施する。
また、周囲輝度率変更信号を取得している場合、視認周囲輝度率として視認背景輝度率を取得するため、視認周囲輝度率の演算処理を実施しない。
なお、Ｄａｒｋ、Ｄｉｍ、Ａｖｅｒａｇｅの３状態を補間したものを視認周囲輝度率として演算してもよい。
【００４９】
視認順応輝度取得手段２８４Ｅは、視認順応輝度の取得処理を、本発明の視認順応輝度認識工程として実施する。
具体的には、視認順応輝度取得手段２８４Ｅは、照明順応信号、ディスプレイ順応信号、および、距離割合順応信号を取得している場合、ディスプレイ１８０周囲の輝度をＬＵＴ２４０に基づいて変換して、この変換した値を照明１２５、ディスプレイ１８０，および、距離割合Ｐ１に順応する視認順応輝度として取得する。
【００５０】
視認環境パラメータ出力手段２８５は、周囲輝度率変更信号および背景輝度率変更信号の両方を取得していない場合、照明１２５、ディスプレイ１８０、距離割合Ｐ１に順応する視認３刺激値、視認中央輝度、視認背景輝度率、視認周囲輝度率、および、視認順応輝度を、視認環境における視認環境パラメータとして画像データ補正部３００へ出力する。
また、周囲輝度率変更信号を取得している場合、照明１２５、ディスプレイ１８０、距離割合Ｐ１に順応する視認周囲輝度率として視認背景輝度率を取得する。そして、視認３刺激値、視認中央輝度、視認背景輝度率、視認周囲輝度率、および、視認順応輝度を、視認環境パラメータとして画像データ補正部３００へ出力する。
また、背景輝度率変更信号を取得している場合、照明１２５、ディスプレイ１８０、距離割合Ｐ１に順応する視認背景輝度率として視認周囲輝度率を取得する。そして、視認３刺激値、視認中央輝度、視認背景輝度率、視認周囲輝度率、および、視認順応輝度を、視認環境パラメータとして画像データ補正部３００へ出力する。
【００５１】
画像データ補正部３００は、図１に示すように、画像データ出力手段１３０と、表示制御手段３６０と、などに接続されている。この画像データ補正部３００は、撮影環境パラメータ取得部２６０で取得された撮影環境パラメータ、および、視認環境パラメータ取得部２８０で取得された視認環境パラメータに基づき、ＣＩＥＣＡＭ（Commission Internationale de l'Eclairage Color Appearance Model）０２に準拠する処理を実施して、撮影環境での見えを再現する状態に画像データを補正する。つまり、本発明の画像データ補正工程を実施する。
そして、画像データ補正部３００は、順変換部３２０と、逆変換部３４０と、などを備えている。
【００５２】
順変換部３２０は、撮影環境での見えを表す撮影見えパラメータを算出する。
そして、順変換部３２０は、色順応変換手段３２１と、非線形応答手段３２２と、空間変換手段３２３と、撮影見えパラメータ算出手段３２４と、などを備えている。
【００５３】
色順応変換手段３２１は、画像撮影環境または映像製作環境における撮影環境パラメータに基づいて、撮影環境での見えを再現するための対応色の測色値を算出する。この算出された測色値は、撮影３刺激値および撮影中央輝度に順応し、撮影順応輝度および撮影周囲輝度率が高いほど、撮影３刺激値および撮影中央輝度に順応する。
【００５４】
非線形応答手段３２２は、画像撮影環境または映像製作環境における撮影環境パラメータに基づいて、撮影環境におけるコントラスト特性を認識する。そして、このコントラスト特性に基づいて、色順応変換手段３２１で算出された測色値に対してコントラスト値の変換処理を実施する。このコントラスト値は、撮影３刺激値に対応する刺激量の増加に対して目の反応が非線形に増加し、撮影順応輝度が高いほど目の反応が大きくなるような値となる。
【００５５】
空間変換手段３２３は、画像撮影環境または映像製作環境における撮影環境パラメータに基づいて、非線形応答手段３２２で変換されたコントラスト値に対して、目の特性を考慮した空間Ａａｂ（Ａは明るさを、ａｂは色相を、それぞれ表す）への変換処理を実施する。この空間Ａａｂは、撮影背景輝度率が高いほどＡ（明るさ）が大きくなる。
【００５６】
撮影見えパラメータ算出手段３２４は、空間変換手段３２３で算出された空間Ａａｂを取得して、この空間Ａａｂに基づいて、撮影環境に依存しない絶対的な見えを表す撮影見えパラメータを算出する。
具体的には、撮影見えパラメータ算出手段３２４は、絶対的な明るさ（ブライトネス）を表す撮影ブライトネス値と、絶対的な色濃度（カラフルネス）を表す撮影カラフルネス値と、明るさを考慮した色濃度（サチュレーション）を表す撮影サチュレーション値と、を撮影見えパラメータとして算出する。そして、撮影見えパラメータ算出手段３２４は、この撮影見えパラメータを逆変換部３４０へ出力する。
【００５７】
逆変換部３４０は、順変換部３２０で算出された撮影見えパラメータと、照明１２５、ディスプレイ１８０、距離割合Ｐ１に順応する視認環境パラメータと、に基づいて、撮影環境での見えを再現する補正処理に利用する再現用３刺激値を算出する。
そして、逆変換部３４０は、視認見えパラメータ算出手段３４１と、逆空間変換手段３４２と、逆非線形応答手段３４３と、逆色順応変換手段３４４と、などを備えている。
【００５８】
視認見えパラメータ算出手段３４１は、視認環境パラメータに基づいて、撮影見えパラメータを視認環境下の出力画像において撮影環境を再現する状態に変換して視認見えパラメータを算出する。
具体的には、視認見えパラメータ算出手段３４１は、撮影環境を再現するための絶対的な明るさを表す視認ブライトネス値と、絶対的な色濃度を表す視認カラフルネス値と、明るさを考慮した色濃度を表す視認サチュレーション値と、を視認見えパラメータとして算出する。そして、視認見えパラメータ算出手段３４１は、この算出した視認見えパラメータを空間Ａａｂに変換する。
すなわち、視認見えパラメータ算出手段３４１は、撮影見えパラメータ算出手段３２４で算出された撮影見えパラメータを用いて、空間Ａａｂに変換する。
【００５９】
逆空間変換手段３４２は、視認環境パラメータに基づいて、視認見えパラメータ算出手段３４１で変換された空間Ａａｂを、視認環境下の出力画像において撮影環境を再現するようなコントラスト値に変換する。
【００６０】
逆非線形応答手段３４３は、視認環境パラメータに基づいて、逆空間変換手段３４２で変換されたコントラスト値を、視認環境下の出力画像において撮影環境を再現するような測色値に変換する。
【００６１】
逆色順応変換手段３４４は、視認環境パラメータに基づいて、逆非線形応答手段３４３で変換された測色値を、視認環境下の出力画像において撮影環境を再現するような３刺激値に変換して、再現用３刺激値として算出する。そして、この再現用３刺激値を表示制御手段３６０へ出力する。
【００６２】
表示制御手段３６０は、画像データ出力手段１３０と、ディスプレイ１８０と、などに接続されている。この表示制御手段３６０は、画像データ補正部３００から出力される再現用３刺激値を取得する。さらに、画像データ出力手段１３０から画像データを取得する。そして、この画像データの入力画像における３刺激値を再現用３刺激値に補正した画像データを生成し、この補正した画像データに基づく出力画像をディスプレイ１８０で表示させる制御をする。つまり、再現用３刺激値に基づいて、視認環境下において撮影環境での見えを再現する出力画像を表示させる制御をする。
【００６３】
〔表示システムの動作〕
次に、上述した表示システム１００の動作を、図面を参照して説明する。
図９は、画像表示処理のフローチャートである。図１０は、視認環境パラメータの取得処理のフローチャートである。
【００６４】
まず、表示システム１００の表示装置１４０は、図９に示すように、画像データ出力手段１３０から画像データを取得する（ステップＳ１０１：画像データ取得工程）。そして、表示装置１４０の画像データ処理装置２００は、リモコン１１０からの入力操作信号に基づいて、画像撮影環境での見えを再現するか否かを判断する（ステップＳ１０２）。
このステップＳ１０２において、画像撮影環境での見えを再現すると判断した場合、撮影環境パラメータ取得部２６０にて、画像撮影環境における撮影環境パラメータの取得処理を実施する（ステップＳ１０３：撮影環境認識工程）。
一方、ステップＳ１０２において、映像製作環境での見えを再現すると判断した場合、撮影環境パラメータ取得部２６０にて、映像製作環境における撮影環境パラメータの取得処理を実施する（ステップＳ１０４：撮影環境認識工程）。
【００６５】
そして、画像データ処理装置２００は、画像データ補正部３００の順変換部３２０にて、ステップＳ１０３またはステップＳ１０４で取得された撮影環境パラメータに基づいて、撮影見えパラメータを算出する（ステップＳ１０５）。また、画像データ処理装置２００は、視認環境パラメータ取得部２８０にて、視認環境パラメータの取得処理を実施する（ステップＳ１０６：視認環境認識工程）。
【００６６】
このステップＳ１０６における視認環境パラメータの取得処理の後、画像データ処理装置２００は、逆変換部３４０にて、撮影見えパラメータおよび視認環境パラメータに基づいて、再現用３刺激値を算出する（ステップＳ１０７）。そして、表示装置１４０は、表示制御手段３６０にて、再現用３刺激値に基づく画像データの補正処理を実施して（ステップＳ１０８：画像データ補正工程）、この補正した画像データに基づいて、視認環境下において撮影環境での見えを再現する出力画像を表示させる（ステップＳ１０９：表示処理工程）。
【００６７】
また、ステップＳ１０６における視認環境パラメータの取得処理では、図１０に示すように、視認環境パラメータ取得部２８０は、ディスプレイ距離センサ１２２での第１の距離信号Ｋ１の受信状態に基づいて、ディスプレイ距離Ｌ１を認識する（ステップＳ２０１：表示手段距離認識工程）。そして、表１に示すような関係に基づいて、画面サイズに対応する推奨視認距離Ｌ３を認識して（ステップＳ２０２）、ディスプレイ距離Ｌ１が推奨視認距離Ｌ３よりも極めて短いか否かを判断する（ステップＳ２０３）。
【００６８】
このステップＳ２０３において、極めて短いと判断した場合、表示面１８２内に存在する周囲視野の範囲が極めて大きいため、視認周囲輝度率が視認背景輝度率と略等しいと認識して、照明１２５、ディスプレイ１８０、距離割合Ｐ１に順応する視認環境パラメータにおける視認周囲輝度率として視認背景輝度率を取得すると認識する（ステップＳ２０４）。一方、ステップＳ２０３において、極めて短くないと判断した場合、ディスプレイ距離Ｌ１が推奨視認距離Ｌ３よりも極めて長いか否かを判断する（ステップＳ２０５）。
このステップＳ２０５において、極めて長いと判断した場合、１０度視野の全てが表示面１８２内に位置し、かつ、表示面１８２内に周囲視野が存在しないため、視認背景輝度率が視認周囲輝度率と略等しいと認識して、照明１２５、ディスプレイ１８０、距離割合Ｐ１に順応する視認環境パラメータにおける視認背景輝度率として視認周囲輝度率を取得すると認識する（ステップＳ２０６）。
【００６９】
そして、ステップＳ２０４，Ｓ２０６のいずれかの処理の後、または、ステップＳ２０５において、極めて長くないと判断した場合、照明距離センサ１２３での第２の距離信号Ｋ２の受信状態に基づいて、照明距離Ｌ２を認識する（ステップＳ２０７：光源距離認識工程）。この後、距離割合Ｐ１を算出して（ステップＳ２０８）、この距離割合Ｐ１が下限閾値Ａ１よりも小さいか否かを判断する（ステップＳ２０９：明るさ判断工程）。
【００７０】
このステップＳ２０９において、下限閾値Ａ１よりも小さいと判断した場合、視認環境の明るさが照明１２５の明るさに依存していると認識して、周囲輝度率変更信号や背景輝度率変更信号に基づいて、照明１２５に順応する視認環境パラメータを取得する（ステップＳ２１０）。
一方、ステップＳ２０９において、距離割合Ｐ１が下限閾値Ａ１よりも大きいと判断した場合、距離割合Ｐ１が上限閾値Ａ２よりも大きいか否かを判断する（ステップＳ２１１：明るさ判断工程）。そして、このステップＳ２１１において、上限閾値Ａ２よりも大きいと判断した場合、視認環境の明るさがディスプレイ１８０の明るさに依存していると認識して、周囲輝度率変更信号や背景輝度率変更信号に基づいて、ディスプレイ１８０に順応する視認環境パラメータを取得する（ステップＳ２１２）。
また、ステップＳ２１１において、上限閾値Ａ２よりも小さいと判断した場合、視認環境の明るさが照明１２５およびディスプレイ１８０に依存していると認識して、図８に示すような関係、周囲輝度率変更信号や背景輝度率変更信号に基づいて、距離割合Ｐ１に順応する視認環境パラメータを取得する（ステップＳ２１３）。
そして、周囲輝度率変更信号や背景輝度率変更信号に基づく照明１２５、ディスプレイ１８０、距離割合Ｐ１に順応する視認環境パラメータを、画像データ処理装置２００へ出力する（ステップＳ２１４）。
【００７１】
〔表示システムの作用効果〕
上述したように、上記実施形態では、表示システム１００の画像データ処理装置２００は、撮影環境パラメータ取得部２６０にて、画像データ出力手段１３０から出力される画像データに基づいて、撮影環境パラメータを取得する処理を、画像撮影環境の認識処理として実施する。さらに、視認環境パラメータ取得部２８０にて、視認環境パラメータを取得する処理を、視認環境の認識処理として実施する。そして、画像データ補正部３００にて、画像撮影環境での見えを再現した出力画像が、視認環境下におけるディスプレイ１８０で表示させる状態に、画像データを補正する。
このため、画像データに基づいて撮影環境を認識するので、撮影現場において撮影環境に関するデータを測定していない入力画像に対しても、任意の視認環境において撮影環境での見えを適切に再現した出力画像を表示させるように、画像データを補正することができる。
また、この補正した画像データに基づいて、任意の視認環境において撮影環境での見えを適切に再現した出力画像を表示させるので、あらゆる撮影画像に対して、利用者Ｕに自分が撮影環境にいるような実感を持たせることができる。
【００７２】
また、画像データ処理装置２００は、撮影環境として撮影３刺激値を認識するとともに、視認環境として視認３刺激値を認識する。そして、撮影３刺激値に対応する撮影環境での見えを再現した出力画像を、視認３刺激値に対応する視認環境において表示させる状態に画像データを補正する。
このため、撮影環境での入力画像の３刺激値を任意の視認環境下で再現して出力画像を表示させることができ、より適切に撮影環境での見えを再現させることができる。
【００７３】
そして、画像データ処理装置２００は、撮影環境として撮影中央輝度を認識するとともに、視認環境として視認中央輝度を認識する。そして、撮影中央輝度に対応する撮影環境での見えを再現した出力画像を、視認中央輝度に対応する視認環境において表示させる状態に画像データを補正する。
このため、撮影環境での入力画像の輝度を任意の視認環境下で再現して出力画像を表示させることができ、さらに適切に撮影環境での見えを再現させることができる。
【００７４】
また、画像データ処理装置２００は、画像データに基づいて、入力画像の撮影に利用された光源色を推定し、この光源色の３刺激値を撮影３刺激値として認識する。
このため、撮影時に実際に利用した光源の色を推定して、撮影環境として認識するので、撮影環境での見えをさらに適切に再現した出力画像を表示させることができる。
【００７５】
さらに、画像データ処理装置２００は、視認環境の明るさが照明１２５に依存していることを認識すると、ディスプレイ周囲光状態センサ１２１で検出されたディスプレイ１８０の周囲における３刺激値、輝度に基づいて、視認３刺激値、視認中央輝度、つまり表示面１８２の２度視野における光の状態を取得する。
ここで、照明１２５がディスプレイ１８０と比べて明るい場合、利用者Ｕの目で感知される照明１２５の光量が比較的多くなるため、利用者Ｕは、照明１２５の影響を受けた出力画像を視認することになる。
このため、ディスプレイ１８０周囲における照明１２５の光の状態、つまり出力画像に影響を与えている照明１２５のみの光の状態に基づいて、表示面１８２の２度視野における光の状態を取得するので、より現実的な視認環境を認識することができる。したがって、照明１２５がディスプレイ１８０と比べて明るい視認環境において、撮影環境での見えをより適切に再現した出力画像を表示させることができる。
【００７６】
そして、画像データ処理装置２００は、視認環境の明るさがディスプレイ１８０に依存していることを認識すると、入力画像のピーク輝度を視認中央輝度として取得する。
ここで、照明１２５がディスプレイ１８０と比べて暗い場合、利用者Ｕの目で感知される光量が比較的少なくなるため、利用者Ｕは、照明１２５の影響をほとんど受けていない出力画像を視認することになる。
このため、出力画像のピーク輝度のみに基づいて、つまり出力画像に影響を与えていない照明１２５の輝度を考慮に入れることなく、表示面１８２の２度視野における輝度を取得するので、さらに現実的な視認環境を認識することができる。したがって、照明１２５がディスプレイ１８０と比べて暗い視認環境において、撮影環境での見えをさらに適切に再現した出力画像を表示させることができる。
【００７７】
また、画像データ処理装置２００は、視認環境の明るさが照明１２５およびディスプレイ１８０の両方に依存していることを認識すると、図８に示すような関係に基づいて、距離割合Ｐ１、つまり照明１２５およびディスプレイ１８０の両方に順応する視認環境パラメータを取得する。
このため、視認環境に影響を与えている照明１２５およびディスプレイ１８０の割合に応じた視認環境を認識することができ、撮影環境での見えをさらに適切に再現した出力画像を表示させることができる。
【００７８】
さらに、画像データ処理装置２００は、距離割合Ｐ１が下限閾値Ａ１よりも小さいと判断した場合、つまり照明１２５がディスプレイ１８０に比べて利用者Ｕの近くに存在していると判断した場合、視認環境の明るさが照明１２５に依存していると認識する。また、距離割合Ｐ１が上限閾値Ａ２よりも大きいと判断した場合、つまりディスプレイ１８０が照明１２５に比べて利用者Ｕの近くに存在していると判断した場合、視認環境の明るさがディスプレイ１８０に依存していると認識する。
このため、利用者Ｕから照明１２５、ディスプレイ１８０までの距離を比較するだけの簡単な演算で、視認環境の明るさが照明１２５やディスプレイ１８０に依存しているかを判断できる。
【００７９】
また、画像データ処理装置２００は、撮影環境として撮影背景輝度率を認識するとともに、視認環境として視認背景輝度率を認識する。そして、撮影背景輝度率に対応する撮影環境での見えを再現した出力画像を、視認背景輝度率に対応する視認環境において表示させる状態に画像データを補正する。
このため、撮影環境での入力画像の背景輝度率、つまり１０度視野における輝度率を任意の視認環境下で再現して出力画像を表示させることができ、より適切に撮影環境での見えを再現させることができる。
【００８０】
そして、画像データ処理装置２００は、ディスプレイ距離Ｌ１が推奨視認距離Ｌ３よりも極めて長いと判断した場合、視認背景輝度率として視認周囲輝度率を取得する。
ここで、ディスプレイ距離Ｌ１が推奨視認距離Ｌ３よりも極めて長い場合、図７に示すように、１０度視野における表示面１８２外に存在する範囲が大きく、かつ、表示面１８２内に周囲視野が全く存在しない状態となるため、視認背景輝度率が視認周囲輝度率と略等しくなる。
このため、ディスプレイ距離Ｌ１が推奨視認距離Ｌ３よりも極めて長いと判断した場合、視認背景輝度率の取得処理として、視認背景輝度率を演算せずに視認周囲輝度率をそのまま取得するので、適切な値の視認背景輝度率を容易に取得できる。
【００８１】
また、画像データ処理装置２００は、撮影環境として撮影周囲輝度率を認識するとともに、視認環境として視認周囲輝度率を認識する。そして、撮影周囲輝度率に対応する撮影環境での見えを再現した出力画像を、視認周囲輝度率に対応する視認環境において表示させる状態に画像データを補正する。
このため、撮影環境での入力画像の周囲輝度率、つまり１０度視野より外側における輝度率を任意の視認環境下で再現して出力画像を表示させることができ、さらに適切に撮影環境での見えを再現させることができる。
【００８２】
そして、画像データ処理装置２００は、ディスプレイ距離Ｌ１が推奨視認距離Ｌ３よりも極めて短いと判断した場合、視認周囲輝度率として視認背景輝度率を取得する。
ここで、ディスプレイ距離Ｌ１が推奨視認距離Ｌ３よりも極めて短い場合、図６に示すように、１０度視野の全てが表示面１８２内に位置し、かつ、表示面１８２内に存在する周囲視野の範囲が極めて大きい状態となるため、視認周囲輝度率が視認背景輝度率と略等しくなる。
このため、ディスプレイ距離Ｌ１が推奨視認距離Ｌ３よりも極めて短いと判断した場合、視認周囲輝度率の取得処理として、視認周囲輝度率を演算せずに視認背景輝度率をそのまま取得するので、適切な値の視認周囲輝度率を容易に取得できる。
【００８３】
また、推奨視認距離Ｌ３を、表示面１８２の画面サイズに応じて異なる値に設定している。
このため、画像データ処理装置２００を画面サイズが異なるディスプレイ１８０に適用することができ、画像データ処理装置２００の汎用性を高めることができる。
【００８４】
さらに、画像データ処理装置２００は、撮影環境として撮影順応輝度を認識するとともに、視認環境として視認順応輝度を認識する。そして、撮影順応輝度に対応する撮影環境での見えを再現した出力画像を、視認順応輝度に対応する視認環境において表示させる状態に画像データを補正する。
このため、撮影環境での人物の目が順応している輝度も考慮に入れた状態で、撮影環境での見えを視認環境下で再現して出力画像を表示させることができ、さらに適切に撮影環境での見えを再現させることができる。
【００８５】
また、画像データ処理装置２００は、映像撮影後に映像製作者などが意図的に色合いなどを補正した状態の見えを、視認環境下で再現する状態に、画像データを補正する。
このため、映像製作者の意図する色合いを視認環境下で再現した出力画像を表示させることにより、あらゆる視認環境において映像製作者が映像で表現したい状況や効果をより適切に実感させることができる。
【００８６】
〔実施形態の変形〕
なお、本発明は、上述した一実施形態に限定されるものではなく、本発明の目的を達成できる範囲で以下に示される変形をも含むものである。
【００８７】
すなわち、撮影環境パラメータ取得部２６０における撮影環境パラメータの取得処理として、以下のような処理を実施してもよい。
入力画像やリモコン１１０からの入力操作信号に基づいて、撮影場所を認識して、この撮影場所における代表的な光源、例えば照明の発光状態に基づいて、撮影環境パラメータを取得する構成としてもよい。
ここで、撮影場所における代表的な撮影３刺激値としては、例えば、国内スタジオやテレビ局を９３００［Ｋ］、海外のスタジオを６５００［Ｋ］、晴天下を１１０００［Ｋ］、曇天下を７０００［Ｋ］に設定する構成が例示できる。また、代表的な撮影中央輝度としては、例えば、住宅を１００［ｌｘ］、学校や診療室あるいは公民館を４００［ｌｘ］、オフィスを１０００［ｌｘ］、電気店を２０００［ｌｘ］、晴天下を１０００００［ｌｘ］、曇天下を５００００［ｌｘ］に設定する構成が例示できる。
さらは、上述した代表的な輝度を定数倍（例えばGray world assumptionによる０．２倍）して、撮影中央輝度で除した値に基づいて撮影背景輝度率や撮影周囲輝度率を演算してもよい。また、上述した代表的な輝度を定数倍、例えばGray world assumptionにより０．２倍した値を撮影順応輝度として演算してもよい。そして、上述した代表的な輝度をＬＵＴ２４０や関数により変換して、撮影背景輝度率や撮影周囲輝度率あるいは撮影順応輝度を演算してもよい。
これらのような構成にしても、撮影現場において撮影環境に関するデータを測定していない入力画像に対しても、任意の視認環境において撮影環境での見えを適切に再現した出力画像を表示させることができる。
【００８８】
また、撮影３刺激値の取得処理として、以下のような処理を実施してもよい。
すなわち、入力信号規格のホワイトポイント、利用者Ｕが指定した出力画像の一部分における平均色度、利用者Ｕが指定した出力画像の一部分のうち無彩色領域の平均輝度を撮影３刺激値として取得してもよい。また、無彩色領域を抽出する際には、黒体軌跡や昼光軌跡に対するデビエーションの値が所定の値、例えば、ｕｖ色度図上で０．０２以下の領域を抽出する方法を適用してもよい。そして、３刺激値の代わりに色温度を取得して、この取得した色温度を変換して撮影３刺激値を取得してもよい。
【００８９】
さらに、撮影中央輝度の取得処理として、以下のような処理を実施してもよい。
すなわち、輝度が最も高い画素の輝度レベルを関数により変換した輝度を、撮影中央輝度として取得してもよい。また、入力画像の累積輝度ヒストグラムを取得して、累積値が所定の設定値（例えば、全画素の９０％）となる輝度レベルをＬＵＴ２４０、あるいは関数により変換した輝度を、撮影中央輝度として取得してもよい。さらに、字幕などの撮影環境非依存部分をも含めた輝度レベルに基づいて、撮影中央輝度を取得してもよい。
【００９０】
また、撮影背景輝度率の演算処理として、以下のような処理を実施してもよい。
すなわち、入力画像の平均輝度レベルを関数により変換した輝度を撮影中央輝度で除した値を、撮影背景輝度率として演算してもよい。また、入力画像の累積輝度ヒストグラムにおける累積値が所定の設定値（例えば、全画素の５０％）となる輝度レベルをＬＵＴ２４０、あるいは関数により変換した輝度を撮影中央輝度で除した値を、撮影背景輝度率として演算してもよい。さらに、累積輝度ヒストグラムにおける累積値が所定の設定値（例えば、全画素の５０％）となる輝度レベルを、撮影背景輝度率として演算してもよい。
【００９１】
そして、撮影周囲輝度率の演算処理として、以下のような処理を実施してもよい。
すなわち、入力画像の平均輝度レベルをＬＵＴ２４０、あるいは関数により変換した値、入力画像の累積輝度ヒストグラムにおける累積値が所定の設定値（例えば、全画素の５０％）となる輝度レベルを、撮影周囲輝度率として演算してもよい。
【００９２】
また、以下の表２に示すような第１の引数のうち少なくともいずれか１つと、第２の引数のうち少なくともいずれか１つと、を関数により変換して、撮影背景輝度率や、撮影周囲輝度率を演算してもよい。
【００９３】
【表２】
2008206067.tif 000004
【００９４】
さらに、撮影順応輝度の演算処理として、以下のような処理を実施してもよい。
すなわち、入力画像の平均輝度レベルをＬＵＴ２４０、あるいは関数により変換した値を、撮影周囲輝度率として演算してもよい。
【００９５】
また、既存の光源色に関する情報、オートホワイトバランスに関する情報に基づいて、撮影環境パラメータを演算して取得してもよい。
【００９６】
また、映像製作パラメータの取得処理として、以下のような処理を実施してもよい。
すなわち、ＤＶＤなどの記録媒体のＩＤからソフトを特定し、ネットワークを介して、この特定したソフトの映像製作環境を取得してもよい。さらに、入力画像やリモコン１１０からの入力操作信号に基づいて、映像製作者やメーカを特定し、この特定した映像製作者などに対応する映像製作パラメータを設定してもよい。また、有名スタジオでの平均的なパラメータを設定してもよい。そして、以下の表３に示すような規格化された推奨視聴環境を利用者Ｕに報知して、利用者Ｕにより選択された環境を設定してもよい。
【００９７】
【表３】
2008206067.tif 000005
【００９８】
そして、照明１２５に順応する視認３刺激値および視認中央輝度の取得処理として、以下のような処理を実施してもよい。
すなわち、ディスプレイ１８０に標準白色板を配置して、この標準白色板の３刺激値や輝度を視認３刺激値や視認中央輝度として取得してもよい。
このような構成にすれば、ディスプレイ１８０に配置されて照明１２５の光を反射する標準白色板の３刺激値や輝度の実測値に基づいて、照明１２５に順応する視認環境を認識でき、撮影環境での見えをより適切に再現した出力画像を表示させることができる。
また、視認環境での照明１２５の３刺激値や輝度をセンサで検出して、視認３刺激値や視認中央輝度として取得してもよい。
このような構成にすれば、視認環境に影響を与えている照明１２５の３刺激値や輝度の実測値に基づいて、照明１２５に順応する視認環境を認識でき、撮影環境での見えをさらに適切に再現した出力画像を表示させることができる。
さらに、照明１２５に順応する視認中央輝度の取得処理として、出力画像の映像モードを認識し、この映像モードに連動する明るさを視認中央輝度として取得してもよい。ここで、映像モードに連動する明るさとしては、例えば、店頭モードを２０００［ｌｘ］、スタンダードモードを１００［ｌｘ］、シネマモードを１０［ｌｘ］に設定する構成が例示できる。
このような構成にすれば、出力画像の明るさに対応する映像モードに基づいて、画像データを補正するので、撮影環境での見えをより適切に再現した出力画像を表示させることができる。
【００９９】
また、照明１２５、ディスプレイ１８０に順応する視認周囲輝度率や視認順応輝度の演算処理として、以下のような処理を実施してもよい。
すなわち、視認中央輝度のレベルをＬＵＴ２４０、あるいは関数により変換した値に基づいて、視認周囲輝度率や視認順応輝度を演算してもよい。
また、部屋Ｒに配置された被配置物としての内壁やカーテンにおける光の反射率をセンサで検出して、Ｄａｒｋ、Ｄｉｍ、Ａｖｅｒａｇｅのいずれかに分類、あるいは、これら３状態を補間したものを視認周囲輝度率として演算してもよい。
このような構成にすれば、部屋Ｒにおける周囲視野に対応する位置での光の状態の実測値に基づいて、照明１２５やディスプレイ１８０に順応する視認環境を認識でき、撮影環境での見えをより適切に再現した出力画像を表示させることができる。
【０１００】
また、以下の表４に示すような第１の引数のうち少なくともいずれか１つと、第２の引数のうち少なくともいずれか１つと、を関数により変換して、視認周囲輝度率を演算してもよい。
【０１０１】
【表４】
2008206067.tif 000006
【０１０２】
さらに、ディスプレイ１８０に順応する視認３刺激値の取得処理として、以下のような処理を実施してもよい。
すなわち、表示面１８２の色温度に基づいて、視認３刺激値を取得してもよい。
このような構成にすれば、ディスプレイ１８０の３刺激値の実測値に基づいて、ディスプレイ１８０に順応する視認環境を認識でき、撮影環境での見えをさらに適切に再現した出力画像を表示させることができる。
【０１０３】
そして、利用者Ｕによるリモコン１１０の設定入力に基づいて、視認環境パラメータを取得してもよい。
具体的には、照明１２５の３刺激値、輝度、背景輝度率、内壁やカーテンなどの反射率をＤａｒｋ、Ｄｉｍ、Ａｖｅｒａｇｅのいずれかに分類、あるいは、これら３状態を補間したもの、利用者Ｕが順応している輝度を、利用者Ｕが直接設定入力してもよい。
また、利用者Ｕによる照明１２５の型番の設定入力に基づいて、ネットワークを介して照明１２５の特性に関する照明特性情報を取得して、この照明特性情報に基づいて、視認３刺激値を取得してもよい。さらに、照明１２５の型番、本数、購入時期などの設定入力に基づいて、ネットワークを介して取得した照明特性情報に基づいて、視認中央輝度を推定してもよい。
そして、ＪＩＳ（Japanese Industrial Standards）で定められた照明規格（昼光色／昼白色／白色／温白色／電球色）から、利用者Ｕにより選択された種類を認識し、この選択された種類の代表的な３刺激値を視認３刺激値としてもよい。
また、利用者Ｕにより選択された視認場所を認識し、その視認場所での代表的な輝度を視認中央輝度としてもよい。ここで、視認場所での代表的な輝度としては、例えば、住宅を１００［ｌｘ］、学校・診療室・公民館を４００［ｌｘ］、オフィスを１０００［ｌｘ］、電気店を２０００［ｌｘ］に設定する構成が例示できる。
【０１０４】
そして、視認場所が屋外に限定されている場合、視認３刺激値や視認中央輝度の取得処理として、以下のような処理を実施してもよい。
すなわち、利用者Ｕが視認する地球上の位置を設定し、その位置と、日付（季節）・時刻・天気と、から太陽光の３刺激値や輝度を推定して視認３刺激値や視認中央輝度としてもよい。ここで、日付（季節）・時刻・天気などは、利用者Ｕによる設定入力やデータ放送に基づいて、取得してもよい。
このような構成にすれば、屋外での太陽光からの光の状態に大きな影響を及ぼす視認位置、日付（季節）・時刻・天気に基づいて、より実測値に近い視認環境を認識でき、撮影環境での見えをさらに適切に再現した出力画像を表示させることができる。
【０１０５】
また、画像データ処理装置２００にて、以下の表５に示すような映像ソースに適した視認環境を提案し、利用者Ｕにより選択された映像ソースのパラメータを視認環境パラメータとして取得してもよい。
【０１０６】
【表５】
2008206067.tif 000007
【０１０７】
このような構成にすれば、出力画像の明るさに映像ソースの種別に基づいて、画像データを補正するので、撮影環境での見えをさらに適切に再現した出力画像を表示させることができる。
【０１０８】
さらに、オンエア・ＤＶＤソフトのブランキング期間・パッケージ内や、Ｅｘｉｆ（Exchangeable Image File Format）規格やＭＰＥＧ（Moving Picture Experts Group）規格に準拠したデータ、ＥＰＧ（Electronic Program Guide）に、画像撮影環境や映像製作環境のパラメータ、あるいは視認環境を記録して、この記録されたパラメータを撮影環境パラメータや視認環境パラメータとして取得してもよい。
また、利用者Ｕによりリモコン１１０を介して設定された、画像撮影環境や映像製作環境のパラメータを取得する構成としてもよい。
そして、撮影環境パラメータや視認環境パラメータの一部は、任意の固定設定（例えばGray world assumptionによる０．２倍）を用いてもよい。
特に、照明１２５に順応する視認環境パラメータとして任意の固定設定を用いる場合、照明１２５のスイッチのオンオフの情報を取得することにより、さらに正確なパラメータを取得できる。
【０１０９】
そして、視認環境の明るさに応じて異なる視認環境パラメータを取得したが、視認環境の明るさによらず同一の視認環境パラメータを取得してもよい。さらに、距離割合Ｐ１に順応する視認環境パラメータの取得処理を実施せずに、照明１２５またはディスプレイ１８０に順応する視認環境パラメータのみを取得してもよい。例えば、距離割合Ｐ１が１よりも小さい場合に照明１２５に順応するものを取得して、１よりも大きい場合にディスプレイ１８０に順応するものを取得してもよい。
そして、パラメータ最適化判断手段２８１におけるディスプレイ距離Ｌ１の認識処理、および、距離割合算出手段２８２における照明距離Ｌ２の認識処理のうち、少なくともいずれか一方を、利用者Ｕによる数値の設定入力により認識する構成としてもよい。
【０１１０】
また、ディスプレイ距離Ｌ１および推奨視認距離Ｌ３の関係に応じて、視認周囲輝度率や視認背景輝度率を演算せずに、視認背景輝度率や視認周囲輝度率を代用したが、ディスプレイ距離Ｌ１および推奨視認距離Ｌ３の関係によらず、視認周囲輝度率や視認背景輝度率を毎回演算してもよい。
【０１１１】
そして、撮影環境や視認環境における、２度視野の３刺激値、２度視野の輝度、１０度視野の輝度率、周囲視野の輝度率、人物の目が順応している輝度のうち、少なくともいずれか１つのみを、撮影環境パラメータや視認環境パラメータとして取得して、これに基づいて、任意の視認環境において撮影環境での見えを再現した画像を表示させるように、画像データを補正してもよい。
また、画像撮影環境および映像製作環境のうち、いずれか一方の環境の見えを再現した画像を表示させるように、画像データを補正してもよい。
さらに、ＣＩＥＣＡＭ０２に準拠する処理ではなく、色や明るさに対する順応効果を表現するＣＩＥ（Commission Internationale de l'Eclairage）などで規格化された他のモデルや、オリジナルのモデルにおける撮影環境パラメータや視認環境パラメータを取得して、任意の視認環境において撮影環境での見えを再現した画像を表示させるように、画像データを補正してもよい。
【０１１２】
また、本発明を医療関係に利用すれば、遠隔地における出力画像で、患部の色などの状況を再現させることができ、適切な治療を迅速に実施できる。
さらに、本発明を美術関係に利用すれば、美術館などにおいて、動画・インテリアのデザイン・芸術作品を撮影現場での見え方で鑑賞できる。
【０１１３】
その他、本発明の実施の際の具体的な構造および手順は、本発明の目的を達成できる範囲で他の構造などに適宜変更できる。
【０１１４】
〔実施形態の効果〕
上述したように、上記実施形態では、表示システム１００は、画像データに基づいて、撮影環境パラメータを取得する処理を、画像撮影環境の認識処理として実施する。さらに、視認環境パラメータを取得する処理を、視認環境の認識処理として実施する。そして、画像撮影環境での見えを再現した画像が、視認環境下におけるディスプレイ１８０で表示させる状態に、画像データを補正する。
このため、画像データや映像製作パラメータに基づいて撮影環境を認識するので、撮影現場において撮影環境に関するデータを測定していない画像に対しても、任意の視認環境において撮影環境での見えを再現した画像を表示させるように、画像データを補正することができる。
【０１１５】
また、この補正した画像データに基づいて、任意の視認環境において撮影環境での見えを再現した画像を表示させるので、あらゆる撮影画像に対して、利用者Ｕに自分が撮影環境にいるような実感を持たせることができる。
【図面の簡単な説明】
【０１１６】
【図１】本発明の一実施形態に係る表示システムの概略構成を示すブロック図である。
【図２】前記一実施形態における表示システムの利用状態を表す模式図である。
【図３】前記一実施形態における表示システムを構成する撮影環境パラメータ取得部の概略構成を示すブロック図である。
【図４】前記一実施形態における表示システムを構成する視認環境パラメータ取得部の概略構成を示すブロック図である。
【図５】前記一実施形態におけるディスプレイ距離が推奨視認距離と等しい状態における２度視野、１０度視野、および、周囲視野の関係を示す模式図である。
【図６】前記一実施形態におけるディスプレイ距離が推奨視認距離よりも極めて短い状態における２度視野、１０度視野、および、周囲視野の関係を示す模式図である。
【図７】前記一実施形態におけるディスプレイ距離が推奨視認距離よりも極めて長い状態における２度視野、１０度視野、および、周囲視野の関係を示す模式図である。
【図８】前記一実施形態における距離割合に基づく視認環境パラメータの取得条件をグラフ形式で表す図である。
【図９】前記一実施形態における画像表示処理のフローチャートである。
【図１０】前記一実施形態における視認環境パラメータの取得処理のフローチャートである。
【符号の説明】
【０１１７】
１２５…光源としての照明
１８０…表示手段としてのディスプレイ
１８２…表示面
Ｌ１…表示手段距離としてのディスプレイ距離
Ｌ２…光源距離としての照明距離
Ｌ３…基準距離としての推奨視認距離
【図１】
2008206067.tif 000008
【図２】
2008206067.tif 000009
【図３】
2008206067.tif 000010
【図４】
2008206067.tif 000011
【図５】
2008206067.tif 000012
【図６】
2008206067.tif 000013
【図７】
2008206067.tif 000014
【図８】
2008206067.tif 000015
【図９】
2008206067.tif 000016
【図１０】
2008206067.tif 000017